(57)【要約】【課題】携帯端末装置において、使用頻度の高い機能を利用する際のユーザのロック解除操作の負担を軽減し、また、速やかに利用したい機能のロック解除操作に要する時間を短縮しつつ、プライバシーの保護を図る。【解決手段】携帯端末装置１００が有する機能の利用が制限されるロック状態で、制御部２０２は、解除コード、または、解除コードよりも文字数の少ない簡易コードの入力を待ち受ける。解除コードが入力された場合、制御部２０２は、一部の機能の利用制限が解除される簡易解除状態に遷移する。【選択図】図１
2011199637.tif 000002
【特許請求の範囲】
【請求項１】
複数の機能またはデータの利用を制限するロック状態で、第１文字列の入力を受けてパスワード認証に成功した場合は、全ての機能またはデータを利用可能とするロック解除状態に遷移し、前記ロック状態で、前記第１文字列よりも文字数の少ない第２文字列の入力を受けてパスワード認証に成功した場合は、予め定められた一部の機能またはデータのみを利用可能とする簡易解除状態に遷移する制御部を具備することを特徴とする携帯端末装置。
【請求項２】
前記制御部は、前記ロック状態で、前記簡易解除状態への遷移にて利用可能となる機能またはデータが利用し得る状態にあるか否かを判定し、利用し得る状態にあると判定した場合のみ、前記簡易解除状態への遷移を行うことを特徴とする請求項１に記載の携帯端末装置。
【請求項３】
前記制御部は、前記簡易解除状態を予め定められた時間維持すると前記ロック状態に遷移することを特徴とする請求項１または請求項２に記載の携帯端末装置。
【請求項４】
携帯端末装置のロック解除方法であって、
複数の機能またはデータの利用を制限するロック状態で、第１文字列の入力を受けてパスワード認証に成功した場合は、全ての機能またはデータを利用可能とするロック解除状態に遷移し、前記ロック状態で、前記第１文字列よりも文字数の少ない第２文字列の入力を受けてパスワード認証に成功した場合は、予め定められた一部の機能またはデータのみを利用可能とする簡易解除状態に遷移する状態遷移ステップを具備することを特徴とするロック解除方法。
【請求項５】
携帯端末装置に、
複数の機能またはデータの利用を制限するロック状態で、第１文字列の入力を受けてパスワード認証に成功した場合は、全ての機能またはデータを利用可能とするロック解除状態に遷移し、前記ロック状態で、前記第１文字列よりも文字数の少ない第２文字列の入力を受けてパスワード認証に成功した場合は、予め定められた一部の機能またはデータのみを利用可能とする簡易解除状態に遷移する状態遷移ステップを実行させるプログラム。
【発明の詳細な説明】
【技術分野】
【０００１】
本発明は、携帯端末装置、ロック解除方法およびプログラムに関する。
【背景技術】
【０００２】
携帯電話機等の携帯端末装置において、他人による携帯端末装置の不正利用を防止し、また、電話帳データや電子メール等のデータ漏洩を防止してプライバシーを保護し、また、鞄やポケットに入れて持ち運びする際のキーの誤操作を防止する方法の一つに、携帯端末装置の有する機能の利用を制限する方法がある。この、携帯端末装置の有する機能の利用制限は、「ロック」と呼ばれている。携帯端末装置のロックを解除する方法としては、暗証番号等のパスワード認証を行う方法が一般的に用いられている。
ロックは、他人による携帯端末装置の不正利用防止等に有効な方法ではあるが、緊急で電話をかけたい場合など、携帯端末装置の有する機能を速やかに利用したい場合に、パスワードの入力に時間を要し、所望の機能を速やかに利用できないという問題があった。また、受信メールの閲覧など、使用頻度の高い機能を利用するために、ロック解除操作を毎回行うことはユーザにとって負担であるという問題があった。これらの問題のために、ロック機能を備える携帯端末装置であっても、ロックが行われないことが多く、他人に携帯端末装置を不正利用されるおそれ、あるいは、データが漏洩するおそれ、あるいは、持ち運びの際に誤操作するおそれがあった。
【０００３】
そこで、特許文献１では、ユーザが頻繁に利用する機能をロック解除せずに利用可能とするために、携帯電話機のロック機能に複数のレベルを設け、レベル毎に利用可能な機能を設定しておき、ユーザがロックレベルを設定する技術が示されている。
また、特許文献２および特許文献３では、複数のユーザが携帯電話機を共有する際のプライバシー保護を目的として、入力されるパスワードに応じて、携帯電話機の有する機能あるいはデータの一部のロックを解除して利用可能とする技術が示されている。この技術を用いて、使用頻度の高い機能や、速やかに利用したい機能を、予め利用可能としておくことができる。
【先行技術文献】
【特許文献】
【０００４】
【特許文献１】特開２００２−１４２０１０号公報
【特許文献２】特開２００５−２４４６７５号公報
【特許文献３】特開２００９−１７２３９号公報
【発明の概要】
【発明が解決しようとする課題】
【０００５】
しかしながら、特許文献１〜特許文献３の技術を用いて、使用頻度の高い機能や速やかに利用したい機能をロックの対象から除外しておくと、プライバシーの保護が不十分となってしまうおそれがある。例えば、メール閲覧機能のロックを解除しておくと、携帯端末装置を机上に置いて短時間離れた間に、他人に電子メールを覗き見されてしまうおそれがある。
【０００６】
本発明は、このような事情を考慮してなされたものであり、その目的は、使用頻度の高い機能を利用する際のユーザのロック解除操作の負担を軽減し、また、速やかに利用したい機能のロック解除操作に要する時間を短縮しつつ、プライバシーの保護を図れる携帯端末装置を提供することにある。
【課題を解決するための手段】
【０００７】
この発明は上述した課題を解決するためになされたもので、本発明の一態様による携帯端末装置は、複数の機能またはデータの利用を制限するロック状態で、第１文字列の入力を受けてパスワード認証に成功した場合は、全ての機能またはデータを利用可能とするロック解除状態に遷移し、前記ロック状態で、前記第１文字列よりも文字数の少ない第２文字列の入力を受けてパスワード認証に成功した場合は、予め定められた一部の機能またはデータのみを利用可能とする簡易解除状態に遷移する制御部を具備することを特徴とする。
【０００８】
また、本発明の一態様によるロック解除方法は、携帯端末装置のロック解除方法であって、複数の機能またはデータの利用を制限するロック状態で、第１文字列の入力を受けてパスワード認証に成功した場合は、全ての機能またはデータを利用可能とするロック解除状態に遷移し、前記ロック状態で、前記第１文字列よりも文字数の少ない第２文字列の入力を受けてパスワード認証に成功した場合は、予め定められた一部の機能またはデータのみを利用可能とする簡易解除状態に遷移する状態遷移ステップを具備することを特徴とする。
【０００９】
また、本発明の一態様によるプログラムは、携帯端末装置に、複数の機能またはデータの利用を制限するロック状態で、第１文字列の入力を受けてパスワード認証に成功した場合は、全ての機能またはデータを利用可能とするロック解除状態に遷移し、前記ロック状態で、前記第１文字列よりも文字数の少ない第２文字列の入力を受けてパスワード認証に成功した場合は、予め定められた一部の機能またはデータのみを利用可能とする簡易解除状態に遷移する状態遷移ステップを実行させるプログラムである。
【発明の効果】
【００１０】
本発明によれば、携帯端末装置において、使用頻度の高い機能を利用する際のユーザのロック解除操作の負担を軽減し、また、速やかに利用したい機能のロック解除操作に要する時間を短縮しつつ、プライバシーの保護を図ることができる。
【図面の簡単な説明】
【００１１】
【図１】本発明の一実施形態における携帯電話機の概略構成を示す構成図である。
【図２】同実施形態における、制御部２０２の状態遷移を示す図である。
【図３】同実施形態において、新着未読メールがある場合に表示部２０１が表示する、モード選択画面の例を示す図である。
【図４】同実施形態において、新着未読メールがない場合に表示部２０１が表示する、モード選択画面の例を示す図である。
【図５】同実施形態において、ロック解除が選択された場合に、表示部２０１が表示する解除コード入力画面の例を示す図である。
【図６】同実施形態において、簡易解除が選択された場合に、表示部２０１が表示する簡易コード入力画面の例を示す図である。
【図７】同実施形態において、ロック状態からロック解除状態または簡易解除状態へと遷移する、制御部２０２の処理手順を示すフローチャートである。
【図８】同実施形態において、簡易解除状態からロック状態またはロック解除状態へと遷移する、制御部２０２の処理手順を示すフローチャートである。
【図９】同実施形態において、常に利用し得る機能を簡易解除の対象とする場合に、ロック状態からロック解除状態または簡易解除状態へと遷移する、制御部２０２の処理手順を示すフローチャートである。
【図１０】同実施形態において、常に利用し得る機能を簡易解除の対象とする場合に、簡易解除状態からロック状態またはロック解除状態へと遷移する、制御部２０２の処理手順を示すフローチャートである。
【発明を実施するための形態】
【００１２】
以下、図面を参照して、本発明の実施の形態について説明する。
図１は、本発明の一実施形態における携帯電話機（携帯端末装置）の概略構成を示す構成図である。同図において、携帯電話機１００は、表示部２０１と、制御部２０２と、無線通信部２０３と、送受話部２０４と、キー操作部２０５と、記憶部２０６と、カメラ部２０７とを具備する。送受話部２０４は、マイク２４１と、スピーカ２４２とを具備する。キー操作部２０５は、テンキー２５１と、決定キー２５２と、方向キー２５３とを具備する。
【００１３】
表示部２０１は、液晶パネルを有し、制御部２０２が選択する画像データを記憶部２０６から読み出し、読み出した画像データに基づく画像を表示する。
制御部２０２は、新着未読メール閲覧機能を含むメール機能や、発信通話機能と着信通話機能との通話機能や、カメラ撮像機能や、電話帳閲覧機能（記憶部２０６の記憶する電話帳データの閲覧機能）や、ウェブ（Web）閲覧機能など、複数の機能を実行する。また、制御部２０２は、ユーザに対してこれらの機能の利用制限を行う。さらに、制御部２０２は、実行する機能や利用制限の状況等に応じて、記憶部２０６が記憶する画像データの中から、表示部２０１に表示させる画像データを選択し、選択した画像データを示す情報を表示部２０１に出力する。選択した画像データを示す情報としては、例えば各画像データに識別番号を付しておき、この識別番号を用いる。
制御部２０２は、携帯電話機１００が内蔵する記憶装置に記憶されたプログラムを、携帯電話機１００が内蔵する中央演算装置（Central Processing Unit；ＣＰＵ）が読み出して実行することにより実現される。
【００１４】
無線通信部２０３は、メール機能実行時の電子メールデータや、通話機能実行時の音声データや、ウェブ閲覧機能実行時のウェブデータなどのデータを、無線信号にて送受信する。
送受話部２０４は、通話機能実行時や、ウェブ閲覧時などに、音声の入出力を行う。マイク２４１は、周囲音を採取して音声データに変換する。スピーカ２４２は、制御部２０２から出力される音声データに従って、音声を出力する。
キー操作部２０５は、キーの押下による操作入力を受け付ける。具体的には、キー操作部２０５は、「０」〜「９」の数字キーや、数字入力またはアルファベット入力または仮名漢字入力、さらには全角または半角を切り替える入力モード切替キーを含む、テンキー２５１を具備し、数字や文字の入力操作を受け付ける。また、キー操作部２０５は、左キーと右キーと上キーと下キーとを含む方向キー２５３を具備し、表示部２０１が表示する画面上での項目選択などの選択操作を受け付ける。また、キー操作部２０５は、決定キー２５２を具備し、仮名漢字入力の際の仮名漢字変換確定や、表示部２０１が表示する画面上で選択した項目の確定などの確定操作を受け付ける。
【００１５】
記憶部２０６は、制御部２０２がパスワード認証を行うためのパスワードである解除コード（第１文字列）および簡易コード（第２文字列）や、メール機能にて送受信されるメールのデータや、電話帳データ（電話番号と氏名とが対応付けられたデータ）や、表示部２０１が表示する画像データや、カメラ撮像機能にて撮像される画像データなど、種々のデータを記憶する。記憶部２０６は、携帯電話機１００が内蔵する記憶装置上に実現される。
カメラ部２０７は、カメラ撮像機能にて用いられるカメラであり、入射される光線を画像データに変換して制御部２０２に出力する。
【００１６】
次に、制御部２０２がユーザに対して行う機能またはデータの利用制限について説明する。
図２は、制御部２０２の状態遷移を示す図である。
制御部２０２は、機能およびデータの利用が制限されていないロック解除状態ｔ１、幾つかの機能またはデータのユーザ利用が制限されるロック状態ｔ２、ロック状態ｔ２で制限される機能またはデータのうち一部について、利用制限が解除される簡易解除状態ｔ３のいずれかの状態をとる。
【００１７】
ロック解除状態ｔ１では、携帯電話機１００が有する機能やデータの利用は制限されない。
これに対し、ロック状態ｔ２では、メール機能や、発信通話機能や、電話帳閲覧機能など利用が制限され、ユーザは、着信通話機能や、ロックの解除や、携帯電話機１００の電源オフ／電源オンなど、一部の機能のみを利用できる。なお、電話帳閲覧機能を利用可能とし、記憶部２０６が記憶する電話帳データの一部を閲覧不可とするなど、データの一部の利用を制限するようにしてもよい。
また、簡易解除状態ｔ３では、ロック状態で利用制限される機能のうち、新着未読メール閲覧機能の利用制限が解除される。なお、ロック状態において電話帳データの全部または一部が閲覧不可となっている場合、例えば、友人の電話帳データや行きつけの店の電話帳データなどが閲覧不可となっている場合に、プライバシー保護の必要性が比較的高い友人の電話帳データは閲覧不可のままとし、プライバシー保護の必要性が比較的低い行きつけの店の電話帳データを閲覧可能とするなど、データの一部の利用制限を解除するようにしてもよい。
【００１８】
ロック解除状態ｔ１において、例えば、ユーザが、機能選択メニュー画面にて機能またはデータのロックを選択するなど、ロック状態ｔ２への遷移を指示する操作入力をキー操作部２０５が受け付けると、ロック状態ｔ２への状態遷移ｒ１１が行われる。
ロック状態ｔ２において、ユーザは、ロック解除または簡易解除のいずれかの解除モードを選択する。ユーザによりロック解除モードが選択され解除コードが入力されると、ロック解除状態ｔ１への遷移ｒ１２が行われる。以下では、ロック状態ｔ２からロック解除状態ｔ１への遷移ｒ１２を「ロック解除」という。一方、ロック状態ｔ２において、ユーザにより簡易解除モードが選択され簡易コード入力されると、簡易解除状態ｔ３への遷移ｒ２１が行われる。以下では、ロック状態ｔ２から簡易解除状態ｔ３への遷移ｒ２１を「簡易解除」という。また、簡易解除により利用可能となる機能またはデータを「簡易解除の対象」という。
簡易解除状態ｔ３において、簡易解除により利用可能となった機能の利用終了を示す操作入力が行われるなど、予め定められた条件が成立すると、ロック状態ｔ２への遷移ｒ２２が行われる。一方、簡易解除状態ｔ３において、ユーザによりロック解除が選択され、解除コードが入力されると、ロック解除状態ｔ１への遷移ｒ３１が行われる。
【００１９】
次に、簡易解除またはロック解除に際して表示部２０１が表示する画面について、図３〜図６を用いて説明する。
図３は、新着未読メールがある場合に表示部２０１が表示する、モード選択画面の例を示す図である。モード選択画面は、ユーザが、簡易解除またはロック解除を選択する画面である。
図３の例の場合、モード選択画面は、簡易解除を示すアイコンｉ３１とロック解除を示すアイコンｉ３２とを含んでいる。ユーザは、方向キー２５３を用いて簡易解除を示すアイコンｉ３１またはロック解除を示すアイコンｉ３２のいずれかを選択し、決定キー２５２を押下する。
簡易解除を示すアイコンｉ３１が選択された状態で方向キー２５３が押下されると、簡易解除が選択される。一方、ロック解除を示すアイコンｉ３２が選択された状態で方向キー２５３が押下されると、ロック解除が選択される。
【００２０】
図４は、新着未読メールがない場合に表示部２０１が表示する、モード選択画面の例を示す図である。新着未読メールがない状態では、新着未読メール閲覧機能の表示対象が存在しないため、新着未読メール閲覧機能は利用できない。携帯電話機１００は、新着未読メールがない状態で、簡易解除にて新着未読メール閲覧機能の利用制限を予め解除しておくことはできない設定となっており、表示部２０１は、ロック解除を示すアイコンｉ４２を含むが簡易解除を示すアイコンを含まないモード選択画面を表示する。
同図の画面が表示された状態で、ユーザにより決定キー２５２が押下されると、ロック解除が選択される。
なお、新着未読メールがない場合には、ロック解除のみを選択可能なので、表示部２０１が、モード選択画面を表示せず、後述する解除コード入力画面を表示するようにしてもよい。
なお、図４のモード選択画面表示中に、携帯電話機１００がメールを受信した場合、新着未読メール閲覧機能を利用可能となるので、表示部２０１は、図３で説明した、簡易解除を示すアイコンとロック解除を示すアイコンとを含むモード選択画面を表示する。
【００２１】
図５は、ロック解除が選択された場合に、表示部２０１が表示する解除コード入力画面の例を示す図である。解除コードは、ロック解除の際にユーザがパスワードとして入力する文字列であり、簡易解除の際にユーザがパスワードとして入力する文字列である簡易コードよりも多い文字数に設定されている。図５の例では、解除コードは、例えば「90197486」など８文字の文字列として設定されており、解除コード入力画面は、８文字の入力を受け付ける入力欄ｃ５１を含む。
【００２２】
図６は、簡易解除が選択された場合に、表示部２０１が表示する簡易コード入力画面の例を示す図である。簡易コードは、簡易解除の際にユーザがパスワードとして入力する文字列であり、ロック解除の際にユーザがパスワードとして入力する文字列である解除コードよりも少ない文字数に設定されている。図６の例では、簡易コードは、例えば「14」など２文字の文字列として設定されており、簡易コード入力画面は、２文字の入力を受け付ける入力欄ｃ６１を含む。
このように、簡易コードは、解除コードよりも少ない文字数に設定されているので、ユーザは、解除コードの入力よりも速く、簡易コードを入力できる。これにより、機能の利用制限をより迅速に解除でき、また、ユーザのコード入力の負担を軽減できる。
【００２３】
次に、制御部２０２が状態遷移を行う処理手順について、図７および図８を用いて説明する。
図７は、制御部２０２が、ロック状態からロック解除状態または簡易解除状態へと遷移する、制御部２０２の処理手順を示すフローチャートである。制御部２０２は、ロック状態に遷移すると同図の処理を開始する。
同図の処理において、制御部２０２は、まず、記憶部２０６を検索して新着未読メールの有無を判定する（ステップＳ１１）。新着未読メールありと判定した場合（ステップＳ１１：ＹＥＳ）は、簡易解除を示すアイコンとロック解除を示すアイコンとを含むモード選択画面の画像データを表示部２０１に出力し、表示部２０１は、図３で説明したモード選択画面を表示する。その後、制御部２０２は、ユーザによるモード選択操作を待ち受ける（以上、ステップＳ１２）。
【００２４】
ユーザによるモード選択操作をキー操作部２０５が受け付けると（ステップＳ１３）、制御部２０２は、いずれのモードが選択されたかを判定する（ステップＳ１４）。簡易解除モードが選択されたと判定した場合（ステップＳ１４：ＹＥＳ）、制御部２０２は、記憶部２０６の記憶する表示画面データの中から、図５で説明した簡易コード入力画面を選択し、選択した簡易コード入力画面を示す情報を表示部２０１に出力する。表示部２０１は、記憶部２０６から簡易コード入力画面の画像データを読み出し、読み出した画像データに基づいて、簡易コード入力画面を表示する。その後、制御部２０２は、ユーザによる２文字のコード入力を待ち受ける（以上、ステップＳ１５）。
キー操作部２０５が、２文字のコード入力を受け付けると（ステップＳ１６）、制御部２０２は、入力されたコードが、記憶部２０６の記憶する簡易コードと一致するか否かを判定するパスワード認証を行う（ステップＳ１７）。一致すると判定した場合（ステップＳ１７：ＹＥＳ）、制御部２０２は簡易解除状態に遷移し（ステップＳ１８）、その後、同図の処理を終了する。一方、ステップＳ１７で、入力されたコードが記憶部２０６の記憶する簡易コードと一致しないと、制御部２０２が判定した場合（ステップＳ１７：ＮＯ）は、ステップＳ１１に戻る。
【００２５】
また、ステップＳ１４で、簡易解除モードが選択されなかったと判定した場合、すなわち、ロック解除モードが選択されたと判定した場合（ステップＳ１４：ＮＯ）は、制御部２０２は、記憶部２０６の記憶する表示画面データの中から、図６で説明した解除コード入力画面を選択し、選択した解除コード入力画面を示す情報を表示部２０１に出力する。表示部２０１は、記憶部２０６から解除コード入力画面の画像データを読み出し、読み出した画像データに基づいて、解除コード入力画面を表示する。その後、制御部２０２は、ユーザによる８文字のコード入力を待ち受ける（以上、ステップＳ２１）。
キー操作部２０５が、８文字のコード入力を受け付けると（ステップＳ２２）、制御部２０２は、入力されたコードが、記憶部２０６の記憶する解除コードと一致するか否かを判定するパスワード認証を行う（ステップＳ２３）。一致すると判定した場合（ステップＳ２３：ＹＥＳ）、制御部２０２はロック解除状態に遷移し（ステップＳ２４）、その後、同図の処理を終了する。一方、ステップＳ２３で、入力されたコードが記憶部２０６の記憶する解除コードと一致しないと、制御部２０２が判定した場合（ステップＳ２３：ＮＯ）は、ステップＳ１１に戻る。
ステップＳ１１で、新着未読メール無しと制御部２０２が判定した場合（ステップＳ１１：ＮＯ）も、ステップＳ１４：ＮＯの場合と同様、ステップＳ２１以下の処理を行う。
【００２６】
図８は、簡易解除状態からロック状態またはロック解除状態へと遷移する、制御部２０２の処理手順を示すフローチャートである。制御部２０２は、簡易解除状態に遷移すると同図の処理を開始する。
同図の処理において、制御部２０２は、まず、メール着信時に記憶部２０６に書き込んだ、新着未読メールのメールデータを示す情報を、表示部２０１に出力する。表示部２０１は、記憶部２０６から新着未読メールのメールデータを読み出し、表示する（以上ステップＳ３１）。
なお、新着未読メールが複数ある場合、簡易解除状態では最新のメールのみを表示するようにしてもよいし、全ての新着未読メールを表示するようにしてもよい。最新のメールのみを表示するようにすれば、簡易解除にある携帯端末装置１００を他人が盗み見た場合の情報漏洩を最小限に抑えられる。一方、全ての新着未読メールを表示するようすれば、一通毎にユーザが簡易コードを入力する負担を無くすことができる。
【００２７】
次に、制御部２０２は、キー操作部２０５がユーザによるロック解除操作を受け付けたか否かを判定する（ステップＳ３２）。ロック解除操作を受け付けていないと判定した場合（ステップＳ３２：ＮＯ）、制御部２０２は、ロック条件が成立したか否かを判定する（ステップＳ３３）。ここで、「ロック条件」とは、簡易解除状態からロック状態へと遷移する条件として予め定められた条件である。例えば、新着未読メールの閲覧終了ボタンとして予め定められたボタンの押下や、簡易解除状態を予め定められた時間維持したこと、新着未読メール表示中に携帯電話機１００本体を折り畳む操作が行われることなどを、ロック条件として予めユーザが設定しておく。ロック条件が成立したと判定した場合（ステップＳ３３：ＹＥＳ）、制御部２０２はロック状態に遷移し（ステップＳ３４）、その後、同図の処理を終了する。一方、ステップＳ３３においてロック条件が成立していないと判定した場合（ステップＳ３３：ＮＯ）、制御部２０２は、ステップＳ３２に戻る。
【００２８】
ステップＳ３２において、ロック解除操作を受け付けたと判定した場合（ステップＳ３２：ＹＥＳ）、制御部２０２は、記憶部２０６の記憶する表示画面データの中から、図６で説明した解除コード入力画面を選択し、選択した解除コード入力画面を示す情報を表示部２０１に出力する。表示部２０１は、記憶部２０６から解除コード入力画面の画像データを読み出し、読み出した画像データに基づいて、解除コード入力画面を表示する。その後、制御部２０２は、ユーザによる８文字のコード入力を待ち受ける（以上、ステップＳ４１）。キー操作部２０５が、８文字のコード入力を受け付けると（ステップＳ４２）、制御部２０２は、入力されたコードが、記憶部２０６の記憶する解除コードと一致するか否かを判定するパスワード認証を行う（ステップＳ４３）。一致すると判定した場合（ステップＳ４３：ＹＥＳ）、制御部２０２はロック解除状態に遷移し（ステップＳ４４）、その後、同図の処理を終了する。一方、ステップＳ４３で、入力されたコードが記憶部２０６の記憶する解除コードと一致しないと、制御部２０２が判定した場合（ステップＳ４３：ＮＯ）は、ステップＳ３１に戻る。
【００２９】
以上のように、携帯電話機１００は、解除コードよりも少ない文字数の簡易コードの入力により簡易解除状態に遷移して一部の機能を利用可能とする。使用頻度の高い機能や速やかに利用したい機能を、簡易解除により利用可能とすることで、ユーザは、より少ない文字数のコード入力により、これらの機能を利用できるので、ユーザのロック解除操作の負担を軽減でき、また、ロック解除操作に要する時間を短縮できる。また、これらの機能を利用可能とするためには、簡易コードの入力が必要なので、プライバシーの保護を図れる。さらには、簡易解除の対象とならない機能を利用するためには、文字数のより多い解除コードを入力する必要なので、より厳格に、他人による携帯電話機１００の不正利用防止やプライバシーの保護を図れる。
また、図９のステップＳ１１で、新着未読メールの有無を判定し、新着未読メールが存在すると判定した場合のみ新着未読メール閲覧機能を簡易解除可能とするように、簡易解除状態への遷移にて利用可能となる機能またはデータが利用し得る状態にあるか否かを判定し、利用し得る状態にあると判定した場合のみ、携帯電話機１００が、簡易解除状態への遷移を行うようにすることで、携帯電話機１００が常に簡易解除状態に設定された状態で他人に利用され、データが漏洩するおそれを防止できる。
また、簡易解除状態を予め定められた時間維持すると、携帯電話機１００がロック状態に遷移することにより、携帯電話機１００が簡易解除状態を長時間維持し続ける状態で他人に利用され、データが漏洩するおそれを防止できる。
なお、本発明の適用範囲は、上述した携帯電話機に限らない。例えば、メール機能やワープロ機能などを備えたノートブックなど、複数の機能を備えた携帯端末装置、あるいは、複数のデータを記憶した携帯端末装置であればよい。
【００３０】
以上では、メール受信により利用可能となる新着未読メール閲覧機能を例に、ある事象の発生により利用可能となる機能を簡易解除の対象とする場合について説明したが、携帯電話機１００が、カメラ部２０７を用いた撮像機能など、特定の事象が発生せずとも利用し得る機能（以下では、「常に利用し得る機能」という）を簡易解除の対象とするようにしてもよい。この場合、制御部２０２は、ロック状態への遷移を契機として、解除モードの選択を待ち受ける。
図９は、常に利用し得る機能を簡易解除の対象とする場合に、ロック状態からロック解除状態または簡易解除状態へと遷移する、制御部２０２の処理手順を示すフローチャートである。制御部２０２は、ロック状態に遷移すると同図の処理を開始する。
同図の処理において、制御部２０２は、まず、簡易解除モードを示すアイコンとロック解除モードを示すアイコンとを含むモード選択画面の画像データを表示部２０１に出力し、表示部２０１は、図３で説明したモード選択画面を表示する。その後、制御部２０２は、ユーザによるモード選択操作を待ち受ける（以上、ステップＳ５１）。
【００３１】
以下、ステップＳ５２〜ステップＳ５６は、図７のステップＳ１４〜ステップＳ１８と同様であり、ステップＳ６１〜ステップＳ６４は、図７のステップＳ２１〜ステップＳ２４と同様である。なお、ステップＳ５５で、入力されたコードが記憶部２０６の記憶する簡易コードと一致しないと制御部２０２が判定した場合（ステップＳ５５：ＮＯ）、および、ステップＳ６３で、入力されたコードが記憶部２０６の記憶する解除コードと一致しないと制御部２０２が判定した場合（ステップＳ６３：ＮＯ）は、ステップＳ５１に戻る。
【００３２】
図１０は、常に利用し得る機能を簡易解除の対象とする場合に、簡易解除状態からロック状態またはロック解除状態へと遷移する、制御部２０２の処理手順を示すフローチャートである。制御部２０２は、簡易解除状態に遷移すると同図の処理を開始する。
同図の処理において、制御部２０２は、まず、簡易解除の対象であるカメラ撮像機能を実行する。具体的には、制御部２０２は、カメラ部２０７から出力される画像データを表示部２０１に出力し、表示部２０１は、制御部２０２から出力される画像データに基づく画像を表示する。また、制御部２０２は、シャッターボタンに割り当てられているボタンの押下をキー操作部２０５が受け付けたか否かを判定し、受け付けたと判定した場合は、カメラ部２０７から出力される画像を、撮像画像として記憶部２０６に書き込む（以上、ステップＳ７１）。なお、簡易解除状態では、制御部２０２は、撮像済みのデータの確認機能を利用不可とする。これにより、簡易解除状態の携帯端末装置１００が他人に操作された場合に、個人データの流出を防止できる。
【００３３】
以下、ステップＳ７２〜ステップＳ７４は、図８のステップＳ３２〜ステップＳ３４と同様であり、ステップＳ８１〜ステップＳ８４は、図８のステップＳ４１〜ステップＳ４４と同様である。なお、ステップＳ７３において、ロック条件が成立していないと判定した場合（ステップＳ７３：ＮＯ）、および、ステップＳ８３において、入力されたコードが記憶部２０６の記憶する解除コードと一致しないと、制御部２０２が判定した場合（ステップＳ８３：ＮＯ）は、ステップＳ７１に戻る。また、ユーザは、例えば、撮像機能終了ボタンとして予め定められたボタンの押下や、簡易解除状態を予め定められた時間維持したこと、撮像機能実行中に携帯電話機１００本体を折り畳む操作が行われることなどを、ロック条件として予め設定しておく。
【００３４】
以上のように、常に利用し得る機能を簡易解除の対象とすることもでき、上述した、ある事象の発生により利用可能となる機能を簡易解除の対象とする場合と同様に、ユーザのロック解除操作の負担を軽減でき、また、ロック解除操作に要する時間を短縮できる。例えば、カメラ部２０７を用いた撮像機能を簡易解除の対象としてロック解除操作に要する時間を短縮することにより、ユーザがシャッターチャンスを逃さずに撮像できることが期待できる。また、これらの機能を利用可能とするためには、簡易コードの入力が必要なので、他人による携帯電話機１００の不正利用防止を図れる。さらには、簡易解除の対象とならない機能を利用するためには、文字数のより多い解除コードを入力する必要なので、より厳格に、他人による携帯電話機１００の不正利用防止やプライバシーの保護を図れる。
また、上述した、ある事象の発生により利用可能となる機能を簡易解除の対象とする場合と同様、簡易解除状態を予め定められた時間維持すると、携帯電話機１００がロック状態に遷移することにより、携帯電話機１００が簡易解除状態を長時間維持し続ける状態で他人に利用され、データが漏洩するおそれを防止できる。
【００３５】
以上、本発明の実施形態について図面を参照して詳述してきたが、具体的な構成はこの実施形態に限られるものではなく、この発明の要旨を逸脱しない範囲の設計変更等も含まれる。
【産業上の利用可能性】
【００３６】
本発明は、携帯端末装置、ロック解除方法およびプログラムに用いて好適である。
【符号の説明】
【００３７】
１００  携帯電話機
２０１  表示部
２０２  制御部
２０３  無線通信部
２０４  送受話部
２４１  マイク
２４２  スピーカ
２０５  キー操作部
２５１  テンキー
２５２  決定キー
２５３  方向キー
２０６  記憶部
２０７カメラ部
【図１】
2011199637.tif 000003
【図２】
2011199637.tif 000004
【図３】
2011199637.tif 000005
【図４】
2011199637.tif 000006
【図５】
2011199637.tif 000007
【図６】
2011199637.tif 000008
【図７】
2011199637.tif 000009
【図８】
2011199637.tif 000010
【図９】
2011199637.tif 000011
【図１０】
2011199637.tif 000012